【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
ウェブ・ブラウザを用いるクライアントとのリモート・プレゼンテーション・セッションを行う方法であって、
前記クライアントとの、ＨＴＴＰセッション（ハイパーテキスト・トランスファー・プロトコル・セッション）を確立するステップと、
サーバのリモート・プレゼンテーション・セッション・プロセスとの、リモート・プレゼンテーション・セッションを確立するステップと、
前記リモート・プレゼンテーション・セッション・プロセスから、リモート・プレゼンテーション・プロトコルでエンコードされたグラフィカル・データを受けるステップと、
前記リモート・プレゼンテーション・プロトコルでエンコードされた前記グラフィカル・データをデコードするステップと、
デコードした前記グラフィカル・データをビデオとしてエンコードするステップと、
前記クライアントに前記ビデオを前記ウェブ・ブラウザで表示させるように、前記ＨＴＴＰセッションを介して前記クライアントへ前記ビデオを含むＨＴＴＰエンコードされたデータを送るステップと
を含み、前記クライアントに送る前記ＨＴＴＰエンコードされたデータは、前記リモート・プレゼンテーション・プロトコルでエンコードされない、方法。
【請求項２】
請求項１に記載の方法であって、デコードした前記グラフィカル・データをビデオとしてエンコードするステップは、
以前に第２のグラフィカル・データを第２のビデオとしてエンコードしたことに基づいて、デコードした前記グラフィカル・データをビデオとしてエンコードするステップ
を含む、方法。
【請求項３】
請求項２に記載の方法であって、以前に第２のグラフィカル・データをビデオとしてエンコードしたことに基づいて、デコードした前記グラフィカル・データをビデオとしてエンコードするステップは、
前記第２のグラフィカル・データと比較したときの、デコードした前記グラフィカル・データのダーティー領域に基づいて、デコードした前記グラフィカル・データをエンコードするステップと、デコードした前記グラフィカル・データをエンコードするために前記第２のビデオの少なくとも一部を用いるステップと
を含む、方法。
【請求項４】
請求項２に記載の方法であって、以前に第２のグラフィカル・データをビデオとしてエンコードしたことに基づいて、デコードした前記グラフィカル・データをビデオとしてエンコードするステップは、
前記グラフィカル・データに示され前記第２のグラフィカル・データにも示されているエレメントに基づいて、デコードした前記グラフィカル・データをエンコードするステップであって、前記エレメントは、デコードした前記グラフィカル・データと前記第２のグラフィカル・データでは異なる場所に示された、ステップと、デコードした前記グラフィカル・データをエンコードするために前記第２のビデオの少なくとも一部を用いるステップと
を含む、方法。
【請求項５】
請求項１に記載の方法であって、前記クライアントが前記ビデオを前記ウェブ・ブラウザで表示するように、前記ＨＴＴＰセッションを介して前記クライアントへ前記ビデオを送るステップは、
前記クライアントに、前記ビデオを、前記ウェブ・ブラウザで表示されるウェブ・ページへ埋め込まれたビデオ・エレメントとして表示させるように、前記ＨＴＴＰセッションを介して前記クライアントへ前記ビデオを送るステップ
を含む、方法。
【請求項６】
請求項１に記載の方法であって、
前記リモート・プレゼンテーション・セッションを確立する前に、前記ＨＴＴＰセッションを介して受けた前記クライアントの資格情報の検証を行うステップ
を更に含む方法。
【請求項７】
請求項１に記載の方法であって、
前記グラフィカル・データの第１の部分がテキストを含み、前記グラフィカル・データの第２の部分がイメージまたはビデオを含むことのインジケーションを受けるステップ
を更に含み、
デコードした前記グラフィカル・データをビデオとしてエンコードするステップは、
デコードした前記グラフィカル・データの前記第１の部分がテキストを含み、デコードした前記グラフィカル・データの前記第２の部分がイメージまたはビデオを含むことの前記インジケーションに基づいて、デコードした前記グラフィカル・データをビデオとしてエンコードするステップ
を含む、方法。
【請求項８】
請求項１に記載の方法であって、サーバのリモート・プレゼンテーション・セッション・プロセスとの、リモート・プレゼンテーション・セッションを確立するステップは、
前記リモート・プレゼンテーション・セッションを、前記クライアントの資格情報に対応するリモード・プレゼンテーション・セッションに基づき決定するステップ
を含む、方法。
【請求項９】
請求項１に記載の方法であって、デコードした前記グラフィカル・データをビデオとしてエンコードするステップは、
前記クライアントがデコードし表示するように構成されたビデオ・フォーマットを決定するステップと、
デコードした前記グラフィカル・データを、ビデオとして前記ビデオ・フォーマットでエンコードするステップと
を含む、方法。
【請求項１０】
請求項１に記載の方法であって、
前記クライアントから、前記ウェブ・ブラウザに向けられたユーザ入力を前記ＨＴＴＰセッションを介して受けるステップと、
前記ウェブ・ブラウザに向けられた前記ユーザ入力を前記リモート・プレゼンテーション・プロトコルでエンコードするステップと、
エンコードした前記ユーザ入力を前記リモート・プレゼンテーション・セッション・プロセスに送るステップと
を更に含む方法。
【請求項１１】
プロセッサと、
プログラムを含むメモリと
を備えたシステムであって、前記プログラムは、前記システムに、少なくとも、
第１のコンピュータとの、ＨＴＴＰセッション（ハイパーテキスト・トランスファー・プロトコル・セッション）を含むリモート・プレゼンテーション・セッションを確立することと、
リモート・プレゼンテーション・セッション・プロセスとの、リモート・プレゼンテーション・セッションを確立することと、
リモート・プレゼンテーション・プロトコルでエンコードされたグラフィカル・データを、前記リモート・プレゼンテーション・セッション・プロセスから受けることと、
前記リモート・プレゼンテーション・プロトコルでエンコードされた前記グラフィカル・データをデコードすることと、
デコードした前記グラフィカル・データをビデオとしてエンコードすることと、
前記第１のコンピュータに前記ビデオをウェブ・ブラウザで表示させるように、前記ＨＴＴＰセッションを介して前記第１のコンピュータへ前記ビデオを含むＨＴＴＰエンコードされたデータを送ることと
をさせ、前記第１のコンピュータに送る前記ＨＴＴＰエンコードされたデータは、前記リモート・プレゼンテーション・プロトコルでエンコードされない、システム。
【請求項１２】
請求項１１に記載のシステムであって、前記プログラムは、前記システムに、少なくとも、
グラフィカル・データを前記リモート・プレゼンテーション・セッション・プロセスから受ける前に、前記リモート・プレゼンテーション・セッション・プロセスとのリモート・プレゼンテーション・セッションを行うことを許可されたユーザと関連する資格情報を前記リモート・プレゼンテーション・セッション・プロセスに送ること
を更にさせる、システム。
【請求項１３】
請求項１１に記載のシステムであって、前記プログラムは、前記システムに、少なくとも、
ユーザ入力のインジケーションを前記第１のコンピュータから、前記第１のコンピュータが前記ビデオを前記ウェブ・ブラウザで表示することとは非同期に受ける
ことを更にさせる、システム。
【請求項１４】
請求項１１に記載のシステムであって、前記プログラムは、前記システムに、少なくとも、
前記システムにより前記ビデオに基づきエンコードされた第２のビデオを前記リモート・プレゼンテーション・セッション・プロセスから受けること
を更にさせる、システム。
【請求項１５】
請求項１１に記載のシステムであって、前記プログラムは、前記システムに、少なくとも、
前記ビデオと比較したときの、第２のビデオのダーティー領域に基づいて、前記リモート・プレゼンテーション・セッション・プロセスによりエンコードされた前記第２のビデオを、前記リモート・プレゼンテーション・セッション・プロセスから受ける
ことを更にさせる、システム。
【請求項１６】
請求項１１に記載のシステムであって、前記プログラムは、前記システムに、少なくとも、
前記ビデオと第２のビデオでは異なる場所に示された要素に基づいて、前記リモート・プレゼンテーション・セッション・プロセスによりエンコードされた前記第２のビデオを、前記リモート・プレゼンテーション・セッション・プロセスから受ける
ことを更にさせる、システム。
【請求項１７】
請求項１１に記載のシステムであって、前記プログラムは、前記システムに、少なくとも、
前記第１のコンピュータから、前記ウェブ・ブラウザに向けられたユーザ入力を前記ＨＴＴＰセッションを介して受けることと、
前記ウェブ・ブラウザに向けられた前記ユーザ入力を前記リモート・プレゼンテーション・プロトコルでエンコードすることと、
エンコードした前記ユーザ入力を前記リモート・プレゼンテーション・セッション・プロセスに送ることと
を更にさせる、システム。
【請求項１８】
サーバとウェブ・ブラウザを用いるクライアントの間のリモート・プレゼンテーション・セッションを促進するための、コンピュータ可読命令を有するコンピュータ可読記憶デバイスであって、前記コンピュータ可読命令は、コンピュータ上で実行されると、該コンピュータに、
前記コンピュータが、前記サーバから、リモート・プレゼンテーション・プロトコルで電コードされたグラフィカル・データを受けることと、
前記コンピュータが、前記リモート・プレゼンテーション・プロトコルでエンコードされた前記グラフィカル・データをデコードし、デコードした前記グラフィカル・データをビデオとしてエンコードすることと、
前記コンピュータが、前記クライアントに前記ビデオを前記ウェブ・ブラウザで表示させるように、前記クライアントと前記コンピュータの間のＨＴＴＰ接続上のＨＴＴＰセッションを介して、前記クライアントへ前記ビデオを含むＨＴＴＰエンコードされたデータを送ることと
を含むオペレーションを実行させ、前記クライアントに送る前記ＨＴＴＰエンコードされたデータは、前記リモート・プレゼンテーション・プロトコルでエンコードされない、コンピュータ可読記憶デバイス。
【請求項１９】
請求項１８に記載のコンピュータ可読記憶デバイスであって、前記コンピュータ上で実行されると、該コンピュータに、
前記クライアントから、前記ウェブ・ブラウザに向けられたユーザ入力を前記ＨＴＴＰセッションを介して受けることと、
前記ウェブ・ブラウザに向けられた前記ユーザ入力を前記リモート・プレゼンテーション・プロトコルでエンコードすることと、
エンコードした前記ユーザ入力を前記サーバに送ることと
を含むオペレーションを実行させるコンピュータ可読命令を更に有するコンピュータ可読記憶デバイス。
【請求項２０】
請求項１８又は１９に記載のコンピュータ可読命令を含むプログラム。